(57)【要約】【課題】集合型貴重品保管庫の収納ボックスを、１人の利用者は１度に１つしか使用できないようにする。【解決手段】空いている収納ボックス２と操作方法を、操作・表示部３で利用者に表示する。非接触ＩＣカード中の利用情報をリーダライタ４で読み取る。指紋リーダー５で本人確認を行う。当日の利用情報のみを有効とし、前日以前の利用情報は無効とする。有効な利用情報がなければ、新規に登録する。有効な利用情報があれば、その利用情報に対応する収納ボックス２のみを使用できるようにする。使用終了後や次の日には利用情報は無効になるので、別の収納ボックスを使うことができる。１人の利用者は一度に１つの収納ボックス２しか使えないようになるので、利用者が収納ボックス２を間違えるような混乱を防止できる。【選択図】図１
2010229764.tif 000002
【特許請求の範囲】
【請求項１】
扉の開閉を電磁錠で行う複数の収納ボックスを備え、非接触ＩＣカードと生体認証を使って前記収納ボックスの使用管理を行う集合型貴重品保管庫において、前記収納ボックスが使用中であるか未使用であるかの状態と操作方法を利用者に表示するタッチパネルと、前記非接触ＩＣカード中の利用情報を読み取り書き込むリーダライタと、指紋パターンを読み取る指紋リーダーと、前記指紋パターンに基づいて本人確認を行う認証手段と、当日の利用情報のみを有効と判定する判定手段と、前記非接触ＩＣカード中に有効な利用情報がなければ新規な利用情報をリーダライタ経由で前記非接触ＩＣカードに登録する登録手段と、有効な利用情報に対応する１つの収納ボックスのみを使用可能とする使用許可手段と、前記使用許可手段の指示に応じて前記収納ボックスの電磁錠を施錠・解錠して扉を開閉する手段とを具備することを特徴とする集合型貴重品保管庫。
【請求項２】
前記登録手段は、保管庫固有識別情報を前記利用情報中に登録する手段を備え、前記使用許可手段は、前記利用情報中の有効な保管庫固有識別情報に対応する１つの集合型貴重品保管庫のみを使用可能とする手段を備えることを特徴とする請求項１記載の集合型貴重品保管庫。
【請求項３】
前記使用許可手段は、読み取った利用情報中の保管庫固有識別情報が他の集合型貴重品保管庫の保管庫固有識別情報であることを検出したことに応じて、読み取った利用情報中の保管庫固有識別情報に対応する集合型貴重品保管庫を前記タッチパネルに表示する手段を備えることを特徴とする請求項２記載の集合型貴重品保管庫。
【発明の詳細な説明】
【技術分野】
【０００１】
本発明は、集合型貴重品保管庫に関し、特に、非接触ＩＣカードと生体認証を使う集合型貴重品保管庫に関する。
【背景技術】
【０００２】
従来、ゴルフ場やフィットネスクラブなどでは、不特定多数の客の貴重品を保管するために、集合型貴重品保管庫が設置されている。集合型貴重品保管庫として、非接触ＩＣカードと生体認証を使って利用管理を行うものがある。利用者は、非接触ＩＣカードをリーダライタにかざして利用情報を入力し、指紋や虹彩模様や掌静脈模様などの生体特徴に基づく本人認証により、収納ボックスが利用可能となる。以下に、集合型貴重品保管庫に関連する従来技術の例をいくつかあげる。
【０００３】
特許文献１に開示された「貸しロッカーシステム」は、１台の携帯電話や１枚の  ＩＣカードにより、１人の利用者が複数のロッカーボックスを利用できるようにしたものである。図９（ａ）に示すように、ロッカー扉を開けて荷物を収納し、施錠スイッチを操作すると、集中制御装置と携帯電話機や非接触ＩＣカードとの間で通信して、ＩＤコードを授受する。ＩＤコードとロッカーボックスのロッカー番号を対応付け、１つのＩＤコードに複数のロッカー番号を対応づけて記憶する。１つのＩＤコードで複数のロッカーボックスを利用でき、使い勝手がよくなる。
【０００４】
特許文献２に開示された「集合型貴重品保管装置」は、暗証番号を使用することなく、貴重品を安全に保管できるようにしたものである。集合型貴重品保管装置には、扉の開閉を電磁錠で行う複数の収納ボックスがある。操作・表示部に、空いている収納ボックスと操作方法を表示する。図９（ｂ）に示すように、リーダライタで、スコアカードホルダーに内蔵されたＲＦＩＤタグと通信を行い、ＲＦＩＤタグのＩＤデータを読み取る。人体特徴認識センサーで、指紋などの人体の特徴を認識する。リーダライタによって読み取られたＩＤデータと、人体特徴認識センサーによって読み取られた人体特徴データを、コンピュータで処理して記憶する。ＲＦＩＤタグのＩＤデータと人体特徴データとに基づいて、暗証番号を使用することなく扉の電磁錠を施錠・解錠するので、暗証番号を忘れたり盗まれたりすることによるトラブルをなくすことができる。
【０００５】
特許文献３に開示された「施錠管理システム」は、ユーザが保管庫を鍵で開けた後、保管庫の施錠を忘れて退室した場合であっても、開錠されている保管庫を確実に施錠できるものである。図９（ｃ）に示すように、保管庫をユーザが開錠したとき、保管庫が開錠状態であることを示す開錠情報がＩＣカードに記憶される。この開錠情報は、ユーザが保管庫を施錠したときにＩＣカードから削除される。ゲート装置は、退室するユーザが所持するＩＣカードに記憶された開錠情報を読み取る。読み取った開錠情報を管理サーバー装置に送信する。管理サーバー装置は、受信した開錠情報で特定される保管庫に対し、施錠を要求する。
【０００６】
特許文献４に開示された「保管庫」は、セキュリティを向上させたものである。図９（ｄ）に示すように、リーダライタ手段で、ＩＣタグにデータを読み書きする。リーダライタ手段に、保管庫の利用データをＩＣタグに書き込ませるデータ書込制御手段がある。開閉が許可された保管庫のＩＤ番号を、ＩＣタグに記憶する。ＩＣタグを備えたＩＣキーを用いて保管庫の開閉を行う。ＩＣキーから取得したＩＤ番号に基づいて権限認証を行う。正当な権限を認証した場合に、開閉手段に扉を開閉する許可を与え、保管庫に設けられた扉の開閉を制御する。
【先行技術文献】
【特許文献】
【０００７】
【特許文献１】特開2005-314944号公報
【特許文献２】特開2007-107325号公報
【特許文献３】特開2008-057316号公報
【特許文献４】特開2008-267116号公報
【発明の開示】
【発明が解決しようとする課題】
【０００８】
しかし、従来の集合型貴重品保管庫では、次のような問題がある。不特定多数の利用者が利用できる集合型貴重品保管庫では、利用可能な収納ボックスならどれでも利用できるので、利用の都度、未利用の収納ボックスを選択することになる。１つの集合型貴重品保管庫だけであれば、未利用の収納ボックスを１つ割り当てることになるが、複数の集合型貴重品保管庫がある場合は、集合型貴重品保管庫ごとに１つの収納ボックスを割り当ててしまう。そのため、利用者が間違って別の収納ボックスを開けて、保管物が紛失したかのように混乱することがある。これを避けるために、複数の集合型貴重品保管庫を１つの管理装置で集中管理する方法があるが、ネットワークや集中管理装置が必要になり、コストがかかる。
【０００９】
本発明の目的は、上記従来の問題を解決して、複数の集合型貴重品保管庫を低コストで管理しながら、１人の利用者は一度に１つの収納ボックスしか使えないようにして、利用者の混乱を防止することである。
【課題を解決するための手段】
【００１０】
上記の課題を解決するために、本発明では、扉の開閉を電磁錠で行う複数の収納ボックスを備え、非接触ＩＣカードと生体認証を使って収納ボックスの使用管理を行う集合型貴重品保管庫に、収納ボックスが使用中であるか未使用であるかの状態と操作方法を利用者に表示するタッチパネルと、非接触ＩＣカード中の利用情報を読み取り書き込むリーダライタと、指紋パターンを読み取る指紋リーダーと、指紋パターンに基づいて本人確認を行う認証手段と、当日の利用情報のみを有効と判定する判定手段と、非接触ＩＣカード中に有効な利用情報がなければ新規な利用情報をリーダライタ経由で非接触ＩＣカードに登録する登録手段と、有効な利用情報に対応する１つの収納ボックスのみを使用可能とする使用許可手段と、使用許可手段の指示に応じて収納ボックスの電磁錠を施錠・解錠して扉を開閉する手段とを具備する構成とした。
【発明の効果】
【００１１】
上記のように構成したことにより、１人の利用者は一度に１つの収納ボックスしか使えないようにでき、利用者の混乱を防止できる。
【図面の簡単な説明】
【００１２】
【図１】本発明の実施例における集合型貴重品保管庫の概念図である。
【図２】本発明の実施例における集合型貴重品保管庫の操作部の縦断面図である。
【図３】本発明の実施例における集合型貴重品保管庫の操作部のタッチパネルを示す正面図である。
【図４】本発明の実施例における集合型貴重品保管庫の指紋リーダーを示す斜視図である。
【図５】本発明の実施例における集合型貴重品保管庫に用いる制御装置とリーダライタの機能ブロック図である。
【図６】本発明の実施例における集合型貴重品保管庫に用いる非接触ＩＣカードの概念図である。
【図７】本発明の実施例における集合型貴重品保管庫の操作部のリーダライタにＩＣカードホルダーを接近させた状態を示す斜視図である。
【図８】本発明の実施例における集合型貴重品保管庫の動作手順を示す流れ図である。
【図９】従来の集合型貴重品保管庫の概念図である。
【発明を実施するための形態】
【００１３】
以下、本発明の集合型貴重品保管庫を実施するための最良の形態について、図１〜図８を参照しながら詳細に説明する。
【実施例】
【００１４】
本発明の実施例は、非接触ＩＣカードの利用情報を読み取り、当日の利用情報がなければ新規な利用情報を登録し、生体認証を使って本人確認を行い、利用情報に対応する１つの収納ボックスのみを使用可能とする集合型貴重品保管庫である。
【００１５】
図１に、本発明の実施例における集合型貴重品保管庫の概念図を示す。図２に、操作部の縦断面図を示す。図３に、操作部のタッチパネルを示す。図４に、指紋リーダーを示す。図５（ａ）に、リーダライタの機能ブロック図を示す。図５（ｂ）に、制御装置のメモリのデータを示す。図５（ｃ）に、制御装置の機能ブロック図を示す。図６（ａ）に、非接触ＩＣカードの概念図を示し、図６（ｂ）に、記憶部に記憶する利用情報を示す。図７に、操作部のリーダライタにＩＣカードホルダーを接近させた状態を示す。図８に、集合型貴重品保管庫の動作手順を示す。
【００１６】
図１〜図７において、集合型貴重品保管庫１は、複数の収納ボックスを備えた独立型の保管庫である。集合型貴重品保管庫１の下部には、制御装置や電源装置などが収納されている。収納ボックス２は、財布や鍵などの貴重品を収めるための適当な大きさの箱体である。扉21は、施錠・解錠する電磁錠が設けられている収納ボックスの扉である。ランプ22は、収納ボックスの使用状態を示すＬＥＤなどのランプである。各扉21にランプ22を設けることなく、タッチパネル31のみに使用中か未使用かを表示してもよい。操作・表示部３は、利用者のためのデータ入出力手段である。タッチパネル31は、利用者がデータを入力したり、利用者に案内を表示したりするための入出力兼用パネルである。
【００１７】
リーダライタ４は、非接触ＩＣカードから利用情報を読み取ったり、非接触ＩＣカードに利用情報を書き込んだりするための手段である。大ループアンテナ41は、非接触ＩＣカードに利用情報を送受信したり電力を送出したりするためのリーダライタの送受信アンテナである。送受信回路42は、非接触ＩＣカードに利用情報を送信し受信する手段である。指紋リーダー５は、指紋を読み取る手段である。制御装置６は、集合型貴重品保管庫を管理するとともに、リーダライタと指紋リーダーなどを制御する情報処理手段である。ＩＣカードホルダー７は、非接触ＩＣカードを保持するものである。例えば、ゴルフ場のスコアカードホルダーなどを利用できる。非接触ＩＣカード８は、電池をもたずに無線で利用情報を送受信できるＩＣカードである。ＩＣチップ81は、非接触ＩＣカードの集積回路部分である。小ループアンテナ82は、非接触ＩＣカードのデータを送受信するとともに、動作電力を受けるアンテナである。
【００１８】
上記のように構成された本発明の実施例における集合型貴重品保管庫の機能と動作を説明する。最初に、図１を参照しながら、集合型貴重品保管庫の機能の概要を説明する。扉付きの収納ボックス２が複数配列されている集合型貴重品保管庫１に利用者が近づくと、人体センサーにより人の接近を感知して、集合型貴重品保管庫１の正面のほぼ中央に設けられている操作・表示部３に利用方法の案内が表示される。音声案内用スピーカーなどを適宜配置して、音声でも案内するとよい。利用者がリーダライタ４に非接触ＩＣカード８を近づけると、非接触ＩＣカード８から、利用情報を読み取る。
【００１９】
その利用者が使用中のものと異なる集合型貴重品保管庫を利用しようとした場合、別の保管庫であることを告げる。利用者が指紋リーダー５に指を当てると、指紋が読み取られる。タッチパネル31に、収納ボックスが使用中であるか未使用であるかの状態と操作方法を表示する。非接触ＩＣカード８に有効な利用情報がなければ、未使用の収納ボックス２の番号をタッチパネル31に表示する。使用する収納ボックス２の番号を利用者に選択させて、新たに利用情報として登録する。有効な利用情報があれば、それに対応する収納ボックスのみを使用可能にする。収納ボックスの使用を終了すると、利用情報を無効にする。複数の集合型貴重品保管庫があっても、利用者は、一度に１つの収納ボックスしか使えないので、混乱することはない。使用終了後または次の日には、別の収納ボックスを使うことができる。日付をまたいで使用することはできないので、収納ボックスに残された物は管理者が保管し、利用者に返却する。
【００２０】
次に、図２を参照しながら、操作・表示部について説明する。操作・表示部３の中央には、タッチパネル31が設けられている。操作・表示部３の上方には、リーダライタ４が設けられている。操作・表示部３は、収納ボックス２の縦方向２つ分または３つ分のスペースを用いている。利用者が操作し易く、周囲から覗かれないように、集合型貴重品保管庫１の中央で奥まった状態に配置してある。操作に慣れない利用者のために、インターホンなどを備えておく。また、操作を中断して立ち去る利用者に対応するために、警告用のブザーを設けたり、監視カメラを備えたりするとよい。
【００２１】
次に、図３を参照しながら、操作・表示部のタッチパネルについて説明する。操作・表示部３の中央には、タッチパネル31が設けられている。タッチパネル31は、５〜７インチ程度の大きさであり、利用者に操作方法を表示するとともに、利用者に収納ボックス２を選択させる。もちろん、ディスプレイ装置とキーボードなどを利用してもよい。タッチパネル31は、これらを含むものを意味する。
【００２２】
次に、図４を参照しながら、指紋リーダーについて説明する。操作・表示部３の下部には、指紋を読み取る指紋リーダー５が設けられている。指紋リーダー５は、利用者の指紋のパターンを読み取り、読み取った指紋のパターンを制御装置６で処理して、個人識別データとして制御装置６のメモリに格納する。再度指紋リーダー５に触れた人の指紋データとの一致・不一致を判断して、同一人物であるか否かを確認する。生体特徴データとして、指紋のほかに、掌紋や、掌の血管模様や、顔の輪郭や、目の虹彩の模様などを利用することができる。指紋リーダー５は、これらを含むものを意味する。
【００２３】
次に、図５を参照しながら、制御装置とリーダライタについて説明する。図５（ａ）に示すように、制御装置６には、リーダライタ４と指紋リーダー５が接続されている。制御装置６は、小型のコンピュータであり、集合型貴重品保管庫１を管理し、リーダライタ４と指紋リーダー５を制御する。図５（ｂ）に示すように、制御装置６のメモリには、集合型貴重品保管庫１の機番と収納ボックス番号表と、非接触ＩＣカード８から読み取った利用情報と指紋リーダー５で読み取った指紋データの組が格納されている。リーダライタ４は、操作・表示部３内の上部に斜めに取り付けられている。非接触ＩＣカードと交信する大ループアンテナ41と送受信回路42がある。送受信回路42は、制御装置６に接続されている。
【００２４】
図５（ｃ）に示すように、制御装置６には、機能的に表現すると、登録手段と判定手段と認証手段と使用許可手段がある。登録手段は、非接触ＩＣカード中に有効な利用情報がなければ、新規な利用情報をリーダライタ経由で非接触ＩＣカードに登録する。各集合型貴重品保管庫に固有の保管庫固有識別情報も、登録手段で利用情報中に登録するとよい。判定手段は、当日の利用情報のみを有効と判定する。認証手段は、指紋パターンに基づいて本人確認を行う。使用許可手段は、有効な利用情報に対応する１つの収納ボックスのみを使用可能とする。複数の集合型貴重品保管庫を設ける場合などでは、利用情報中の有効な保管庫固有識別情報に対応する１つの集合型貴重品保管庫のみを使用可能とする。その際、読み取った利用情報中の保管庫固有識別情報が他の集合型貴重品保管庫の保管庫固有識別情報であることを検出した場合は、読み取った利用情報中の保管庫固有識別情報に対応する集合型貴重品保管庫をタッチパネルに表示して、目的の収納ボックスは他の集合型貴重品保管庫にあることを利用者に案内する。さらに、本人確認ができたとき、解錠を指示する。開閉手段は、使用許可手段の指示に応じて、収納ボックス２の扉の電磁錠を施錠・解錠する。
【００２５】
次に、図６と図７を参照しながら、非接触ＩＣカードについて説明する。図６（ａ）に示すように、非接触ＩＣカード８には、ＩＣチップ81と小ループアンテナ82がある。リーダライタ４と無線によって交信することにより、ＩＣチップ81の記憶部に格納されている利用情報を、非接触で読み書きする。図６（ｂ）に示すように、ＩＣチップ81の記憶部には、利用情報として、非接触ＩＣカード固有のカードＩＤと、利用した日付と、保管庫の機番と、収納ボックス番号が格納されている。非接触ＩＣカードの内部には、コイル状の小ループアンテナ82と、小ループアンテナ82に接続されたＩＣチップ81がある。ＩＣチップ81には、記憶部と電源整流部と送信部と受信部がある。電池を内蔵しない非接触ＩＣカードは、リーダライタ４の大ループアンテナ41から放射される電波を受信して整流して動作電源とすることにより、ＩＣチップ81を動作させる。
【００２６】
次に、図８を参照しながら、集合型貴重品保管庫の動作手順を説明する。集合型貴重品保管装置に利用客が接近すると、ステップ１で、人体センサーが感知して、ステップ２で、案内表示とともに音声案内動作を開始する。例えば、「ＩＣカードを読み取り機にタッチしてください」と表示して音声案内する。音声案内に従って、利用者が、非接触ＩＣカードをリーダライタ４の大ループアンテナ41に接近させると、非接触ＩＣカードがリーダライタ４からの電波を受信して、微弱な電力が発生する。この電力により、ＩＣチップ81が動作して、ＩＣチップ81の記憶部に格納されている利用情報を送信する。利用情報がない場合は、無効な利用情報が送信される。ステップ３で、利用情報の読み取りに成功すると、リーダライタ４側で受信したデータが、制御装置６に伝送される。
【００２７】
ステップ４で、制御装置６は、利用情報の有効性を判定する。日付が当日のものでないものや、該当する機番や収納ボックス番号がないものは、無効と判定される。有効な利用情報でない場合は、ステップ５で、タッチパネル31に収納ボックス２の空き状態を表示し、空いている収納ボックス２の１つを選択するように促すメッセージを表示して案内する。ステップ６で、利用者がタッチパネル31に触れて収納ボックス２の１つを選択すると、ステップ９で、指紋リーダー５に指先を押し付けるように促す。ステップ４で、有効な利用情報と判定された場合は、ステップ７で、利用中の収納ボックスがこの保管庫にあるかどうか判定する。ない場合は、ステップ８で、他の保管庫の収納ボックスを利用中であることを告げて、処理を終了する。
【００２８】
同一保管庫を利用中の場合は、ステップ９で、指紋リーダー５に指先を押し付けるように促す。指紋リーダー５に利用者が指先を押し付けることにより、指紋の読取りが完了する。ステップ10で、読み取った指紋のデータが利用中の収納ボックスの利用者の指紋データと一致するかどうか判定する。一致しない場合は、ステップ11で、利用者が異なる旨の警告表示をして、処理を終了する。指紋データが一致すれば、ステップ12で、収納ボックス２の電磁錠を解錠して、その収納ボックス２の表示器22を点滅させる。新規利用者の場合は、指紋データと、ＩＣチップ81の識別情報と、選択された収納ボックス２の番号とを関連付けて、制御装置６のメモリに登録してから、利用者が選択した収納ボックス２の電磁錠を解錠して、その収納ボックス２の表示器22を点滅させる。
【００２９】
ステップ13で、利用者が、解錠された収納ボックス２に貴重品を出し入れして扉21を閉めると、ステップ14で、収納ボックス２の利用を継続するか終了するかを選択するように案内して、タッチパネル31から選択して入力させ、非接触ＩＣカード８をリーダライタ４にタッチするように案内する。ステップ15で、非接触ＩＣカード８中の利用情報を更新して、電磁錠が施錠され、処理が終わったことを案内して、処理を終了する。タッチパネル31で利用状態を選択しなかったり、非接触ＩＣカード８をリーダライタ４にタッチしなかったりして立ち去ろうとした場合は、それらのことを行うように警告する。収納ボックス２が利用状態になった場合は、収納ボックス２のランプ22を連続点灯させ、空き状態になった場合は、収納ボックス２のランプ22を消灯させる。１つの収納ボックス２を使用中は、他の収納ボックス２を使用できないが、収納ボックス２の使用を終了すれば、他の収納ボックス２を使用することができるようになる。
【００３０】
上記のように、本発明の実施例では、貴重品保管庫を、非接触ＩＣカードの利用情報を読み取り、生体認証を使って本人確認を行い、当日の利用情報がなければ新規な利用情報を登録し、利用情報に対応する１つの収納ボックスのみを使用可能とする構成としたので、１人の利用者は一度に１つの収納ボックスしか使えないようにでき、利用者の混乱を防止できる。
【産業上の利用可能性】
【００３１】
本発明の集合型貴重品保管庫は、ゴルフ場などにおける貴重品ロッカーとして最適である。
【符号の説明】
【００３２】
１  集合型貴重品保管庫
２  収納ボックス
21  扉
22  ランプ
３  操作・表示部
31  タッチパネル
４  リーダライタ
41  大ループアンテナ
42  送受信回路
５  指紋リーダー
６  制御装置
７  ＩＣカードホルダー
８  非接触ＩＣカード
81  ＩＣチップ
82  小ループアンテナ
【図１】
2010229764.tif 000003
【図２】
2010229764.tif 000004
【図３】
2010229764.tif 000005
【図４】
2010229764.tif 000006
【図５】
2010229764.tif 000007
【図６】
2010229764.tif 000008
【図７】
2010229764.tif 000009
【図８】
2010229764.tif 000010
【図９】
2010229764.tif 000011